(57)【要約】【課題】数の物品を効率良く収納して収納数を増やすとともに、収納された物品の確認や出し入れ等の作業を容易かつ確実に行うことのできる低コストな物品収納什器を提供する。【解決手段】物品収納什器１０は、左右方向に間隔をあけて設けられた一対の側部支持体１３を有し、一対の側部支持体１３の間に物品収納空間Ｓが形成された什器本体１１と、一対の側部支持体１３の間において、カテーテル１００を吊下するフック２２を左右方向に間隔をあけて複数有する後列吊下部２０と、一対の側部支持体１３の間において、後列吊下部２０に対し前方に配置され、カテーテル１００を吊下するフック３２を左右方向に間隔をあけて複数有する前列吊下部３０と、を有し、後列吊下部２０は、前列吊下部３０よりも高い位置に配置されている。【選択図】図１
2019072303.tif 000002
【特許請求の範囲】
【請求項１】
左右方向に間隔をあけて設けられた一対の側部支持体を有し、一対の前記側部支持体の間に物品収納空間が形成された什器本体と、
一対の前記側部支持体の間において、物品を吊下する第一フックを前記左右方向に間隔をあけて複数有する第一吊下部と、
一対の前記側部支持体の間において、前記第一吊下部に対し前方に配置され、物品を吊下する第二フックを前記左右方向に間隔をあけて複数有する第二吊下部と、を有し、
前記第一吊下部は、前記第二吊下部よりも高い位置に配置されている物品収納什器。
【請求項２】
前記第一吊下部は、一対の前記側部支持体の間において前記左右方向に延び、前記第一フックが前記左右方向に移動可能に設けられた第一支持杆を有し、
前記第二吊下部は、一対の前記側部支持体の間において前記左右方向に延び、前記第二フックが前記左右方向に移動可能に設けられた第二支持杆を有する請求項１に記載の物品収納什器。
【請求項３】
前記左右方向に間隔をあけて設けられ、前記第一支持杆および前記第二支持杆を支持する複数の支持部材を有し、
前記支持部材は、前記左右方向に直交する鉛直面内に位置し、前記第一支持杆および前記第二支持杆が取り付けられた支持部を有する請求項２に記載の物品収納什器。
【請求項４】
前記支持部は、前記第一支持杆が取り付けられた後部よりも、前記第二支持杆が取り付けられた前部の方が、下方に向かって長く延びている請求項３に記載の物品収納什器。
【請求項５】
前記什器本体は、一対の前記側部支持体の間に、物品載置面を有した棚板を有し、
前記支持部材は、前記棚板に支持されている請求項３又は請求項４に記載の物品収納什器。
【発明の詳細な説明】
【技術分野】
【０００１】
本発明は、物品収納什器に関する。
【背景技術】
【０００２】
医療施設や介護施設等では、例えばカテーテル等の長尺の物品を保管するための収納什器が用いられている。このような長尺の物品は、物品の上端部を、フックを介して収納什器に係止させ、物品が上下方向に吊り下げられて収納されることがある。これにより、収納什器内への物品の収納効率を高めるとともに、物品の収納什器に対する取出や収納作業を容易かつ確実に行うことができると考えられる。
【０００３】
このような収納什器において、収納什器の大型化を抑えつつ、収納什器内に収納する物品の数を増やすことが望まれることがある。
このため、例えば特許文献１には、収納什器内に、物品を吊り下げるフックを、左右方向に複数並べて備える構成が開示されている。
特許文献２には、収納什器内に、左右方向に複数のフック列を設け、各フック列においては、物品を吊り下げるフックを、前後方向に複数並べて備える構成が開示されている。
【先行技術文献】
【特許文献】
【０００４】
【特許文献１】特許第４３４７１６７号公報
【特許文献２】特開２０１５−１４２６７４号公報
【発明の概要】
【発明が解決しようとする課題】
【０００５】
しかしながら、特許文献１に開示された構成においては、物品の収納数を増やそうとすればするほど、収納什器が左右方向に大型化してしまい、コストが増大してしまう。
【０００６】
特許文献２に開示された構成においては、特許文献１に比較すると、左右方向及び前後方向に複数のフックを備えるため、物品の収納数を効率良く増やすことができる。しかし、各フック列において、後方のフックに吊り下げられた物品を、目視により確認したり、収納什器から出し入れしたりしようとしたときに、前方のフックに吊り下げられた他の物品が邪魔になってしまう。
特許文献２に開示された構成においては、フック列が前後方向にスライド移動することで、後方のフックに吊り下げられた物品を出し入れする構成であるため、構成の複雑化やコストアップの要因となる。
【０００７】
そこでなされた本発明の目的は、複数の物品を効率良く収納して収納数を増やすとともに、収納された物品の確認や出し入れ等の作業を容易かつ確実に行うことのできる低コストな物品収納什器を提供することである。
【課題を解決するための手段】
【０００８】
上記目的を達成するために、本発明の一態様に係る物品収納什器は、左右方向に間隔をあけて設けられ、上下方向に延びる一対の側部支持体を有し、一対の前記側部支持体の間に物品収納空間が形成された什器本体と、一対の前記側部支持体の間において、物品を吊下する第一フックを前記左右方向に間隔をあけて複数有する第一吊下部と、一対の前記側部支持体の間において、前記第一吊下部に対し前方に配置され、物品を吊下する第二フックを前記左右方向に間隔をあけて複数有する第二吊下部と、を有し、前記第一吊下部は、前記第二吊下部よりも高い位置に配置されている。
【０００９】
このような構成によれば、第一吊下部の複数の第一フックと、第二吊下部の複数の第二フックと、に物品を吊り下げることができる。第二吊下部は、第一吊下部の前方に設けられているので、第二吊下部の第二フックで吊り下げられた物品は、前方から容易に視認することができる。第二吊下部の後方に位置する第一吊下部は、第二吊下部よりも高い位置に配置されているので、第一吊下部の第一フックで吊り下げられた物品は、その上部の少なくとも一部が、第二吊下部よりも上方に露出する。したがって、第一吊下部に吊下された物品の確認や出し入れ等の作業を、物品を目視しながら容易に行うことができる。
特に、本態様では、前列吊下部が後列吊下部よりも低くなっているため、物品収納空間の前方開口部を通じて後列吊下部に吊り下げられた物品に直接アクセスできる。これにより、例えばフック列を前後方向にスライド移動させて、後方に吊り下げられたカテーテルを出し入れ等する構成に比べて、構成の簡素化や低コスト化を図ることができる。
【００１０】
本発明の一態様に係る物品収納什器において、前記第一吊下部が、一対の前記側部支持体の間において前記左右方向に延び、前記第一フックが前記左右方向に移動可能に設けられた第一支持杆を有し、前記第二吊下部は、一対の前記側部支持体の間において前記左右方向に延び、前記第二フックが前記左右方向に移動可能に設けられた第二支持杆を有するようにしてもよい。
このように構成することで、第一、第二フックに吊り下げた物品を、第一、第二フックとともに第一支持杆、第二支持杆吊下部に沿って左右方向に移動させることができる。これにより、物品の吊り下げ位置を左右方向で容易に調整することができる。
【００１１】
本発明の一態様に係る物品収納什器において、前記左右方向に間隔をあけて設けられ、前記第一支持杆および前記第二支持杆を支持する複数の支持部材を有し、前記支持部材は、前記左右方向に直交する鉛直面内に位置し、前記第一支持杆および前記第二支持杆が取り付けられた支持部を有するようにしてもよい。
このように構成することで、第一支持杆、第二支持杆を、支持部材を介して什器本体に取り付けることができる。これにより、第一、第二吊下部の什器本体への組付性を向上させることができる。
しかも、第一支持杆と第二支持杆とが支持部材を介して固定される。このため、第一吊下部と第二吊下部との、前後方向および上下方向における相対位置関係を、容易かつ確実に設定することができる。したがって、特に第一フックに支持された物品へのアクセス性を良好に保つことができる。
【００１２】
本発明の一態様に係る物品収納什器において、前記支持部が、前記第一支持杆が取り付けられた後部よりも、前記第二支持杆が取り付けられた前部の方が、下方に向かって長く延びているようにしてもよい。
このように構成することで、第一支持杆の前方に位置する第二支持杆を、第一支持杆よりも下方に配置することができる。これにより、第一吊下部を、第二吊下部よりも高い位置に配置することができる。
【００１３】
本発明の一態様に係る物品収納什器において、前記什器本体は、一対の前記側部支持体の間に、物品載置面を有した棚板を有し、前記支持部材は、前記棚板に支持されているようにしてもよい。
このように構成することで、支持部材を側部支持体に直接固定することなく、棚板に支持させて設けることができる。したがって、各吊下部、およびこれらに吊下される物品を、安定的かつ強固に支持することができる。
【発明の効果】
【００１４】
本発明に係る物品収納什器によれば、複数の物品を効率良く収納して収納数を増やすとともに、収納された物品の確認や出し入れ等の作業を容易かつ確実に行うことができる低コストな物品収納什器を提供できる。
【図面の簡単な説明】
【００１５】
【図１】本発明の実施形態に係る物品収納什器の全体構成を示す斜視図である。
【図２】上記物品収納什器において、後列支持杆および前列支持杆の取付構造を示す斜視図である。
【図３】本発明の実施形態に係る物品収納什器の変形例の構成を示す斜視図である。
【発明を実施するための形態】
【００１６】
以下、添付図面を参照して、本発明に係る物品収納什器の実施形態を説明する。しかし、本発明は以下の実施形態のみに限定されるものではない。なお、以下の説明において、物品収納什器１０が設置された床面の法線方向を上下方向（矢印ＵＰが上方）とし、上下方向に直交する方向をそれぞれ前後方向（矢印ＦＲが前方）及び左右方向（矢印ＬＨが左側）とする。
【００１７】
図１は、本実施形態に係る物品収納什器１０の全体構成を示す斜視図である。
図１に示すように、物品収納什器１０は、カテーテル１００等の長尺な物品を収納する物品収納空間Ｓが形成された什器本体１１を備える。
【００１８】
什器本体１１は、底板１２と、側部支持体１３と、天板１４と、棚板１５と、を備える。底板１２は、平面視長方形状で、床面上に設置される。底板１２は、左右方向に長辺１２ａを沿わせて配置される。
【００１９】
側部支持体１３は、長方形状の板状で、左右方向に間隔をあけて、底板１２の左右方向両端部にそれぞれ設けられている。側部支持体１３は、上下方向に延びている。側部支持体１３は、その下端部が底板１２に連結されている。
【００２０】
天板１４は、平面視長方形状で、一対の側部支持体１３，１３の上端部間に掛け渡されている。
【００２１】
棚板１５は、一対の側部支持体１３，１３間で、天板１４の下方に配置されている。棚板１５は、その上面に物品載置面１５ｆを有している。
【００２２】
図２は、物品収納什器１０における、後列支持杆２１および前列支持杆３１の取付構造を示す斜視図である。
図２に示すように、棚板１５は、左右方向両端部が、ブラケット１６を介して側部支持体１３に支持されている。ブラケット１６は、断面Ｌ字状で、上下方向に延びる固定片１６ａと、固定片１６ａの下端から固定片１６ａの延在方向に直交して延びる支持片１６ｂと、を一体に有している。
【００２３】
ブラケット１６は、固定片１６ａを側部支持体１３に固定することで設けられる。側部支持体１３には、上下方向に間隔をあけて複数の係止孔１３ｈが形成されている。適宜の高さの係止孔１３ｈに、固定片１６ａに設けられた図示しないフックを係止させることで、ブラケット１６は側部支持体１３に係止されている。この状態で、支持片１６ｂは、側部支持体１３から水平方向に突出している。棚板１５は、左右方向の端部が支持片１６ｂ上に載置され、ビス１７によってブラケット１６の支持片１６ｂに締結されている。
【００２４】
図１に示すように、物品収納空間Ｓは、上記の底板１２と、一対の側部支持体１３と、棚板１５と、に囲まれて形成されている。また、什器本体１１には、棚板１５と天板１４との間に、他の棚板１５Ｓが設けられている。また、什器本体１１には、物品収納空間Ｓの前方開口部を塞ぐシャッター１１Ｓが設けられている。
【００２５】
什器本体１１の物品収納空間Ｓには、後列吊下部（第一吊下部）２０と、前列吊下部（第二吊下部）３０と、が設けられている。
【００２６】
後列吊下部２０は、後列支持杆（第一支持杆）２１と、複数のフック（第一フック）２２と、を備える。
後列支持杆２１は、金属製の中空パイプ材等からなり、一対の側部支持体１３の間において左右方向に延びている。後列支持杆２１の両端部は、後述する支持部材４０に支持されている。
【００２７】
フック２２は、例えばＳ字状をなし、その上下に湾曲したフック部を有している。フック２２は、その上部のフック部が後列支持杆２１に係止されている。フック２２は、その下部のフック部にカテーテル１００の上端部が係止可能に構成されている。これにより、カテーテル１００は、上下方向に長尺方向を沿わせて吊下される。
このようなフック２２は、後列支持杆２１に、左右方向に間隔をあけて複数設けられる。各フック２２は、後列支持杆２１に沿って左右方向の任意の位置にスライド移動可能となっている。
【００２８】
前列吊下部３０は、前列支持杆（第二支持杆）３１と、複数のフック（第二フック）３２と、を備える。
前列吊下部３０は、後列吊下部２０の前方に配置されている。上記後列吊下部２０は、前列吊下部３０よりも高い位置に配置されている。
前列支持杆３１は、金属製の中空パイプ材等からなり、一対の側部支持体１３の間において左右方向に延びている。前列支持杆３１の両端部は、後述する支持部材４０に支持されている。
【００２９】
フック３２は、上記フック２２と同様の構成をなしている。フック３２は、その上部のフック部が前列支持杆３１に係止されている。フック３２は、その下部のフック部にカテーテル１００の上端部が係止可能に構成されている。これにより、カテーテル１００は、上下方向に長尺方向を沿わせて吊下される。
このようなフック３２は、前列支持杆３１に、左右方向に間隔をあけて複数設けられる。各フック３２は、前列支持杆３１に沿って左右方向の任意の位置にスライド移動可能となっている。
【００３０】
後列支持杆２１、前列支持杆３１を支持する支持部材４０は、什器本体１１内に、左右方向に間隔をあけて複数が設けられている。本実施形態において、支持部材４０は、什器本体１１内で、左右方向両端部の側部支持体１３，１３の内側に配置されている。図２に示すように、支持部材４０は、左右方向に直交する鉛直面内に位置する支持プレート（支持部）４１と、支持プレート４１の上端部に設けられ、棚板１５の下面に沿う取付部４２と、を一体に備えている。
【００３１】
支持プレート４１には、後列支持杆２１の端部および前列支持杆３１の端部が、ビス等によって取り付けられる。支持プレート４１は、左右方向から見た側面視外形が三角形状をなしている。具体的に、支持プレート４１は、上下方向の長さが、後列支持杆２１の端部が取り付けられた後部４１ｒから前列支持杆３１の端部が取り付けられた前部４１ｆに向かって漸次長くなっている。換言すると、支持プレート４１は、後列支持杆２１の端部が取り付けられた後部４１ｒよりも、前列支持杆３１の端部が取り付けられた前部４１ｆの方が、下方に向かって長く延びている。
取付部４２は、棚板１５の下面に、ビス４３等によって固定されている。
【００３２】
このような物品収納什器１０において、カテーテル１００は、後列吊下部２０の複数のフック２２と、前列吊下部３０の複数のフック３２とに、それぞれその上端部を係止させて吊り下げされる。これにより、物品収納什器１０には、前後の２列において、それぞれ左右方向に複数個のカテーテル１００が収納される。
前列吊下部３０は、後列吊下部２０の前方に設けられているので、前列吊下部３０のフック３２で吊り下げられたカテーテル１００は、その全体を、前方から視認できる。前列吊下部３０の後方に位置する後列吊下部２０は、前列吊下部３０よりも高い位置に配置されている。すなわち、後列吊下部２０におけるカテーテル１００の吊り下げ位置（フック２２におけるカテーテル１００の係止位置）は、前列吊下部３０におけるカテーテル１００の吊り下げ位置（フック３２におけるカテーテル１００の係止位置）よりも高くなっている。そのため、後列吊下部２０のフック２２で吊り下げられたカテーテル１００は、その上部が前列吊下部３０よりも上方に露出する。したがって、後列吊下部２０に吊下されたカテーテル１００の上部１００ｔを、前方から視認できる。
【００３３】
なお、後列支持杆２１および前列支持杆３１の上下方向の間隔は、後列吊下部２０のフック２２で吊り下げられたカテーテル１００の上部の少なくとも一部が前列吊下部３０の上方から視認可能であればよい。この場合、例えば後列吊下部２０に吊り下げられたカテーテル１００の商品表示の少なくとも一部が視認可能な高さに、後列支持杆２１および前列支持杆３１を配置してもよい。
【００３４】
後列支持杆２１および前列支持杆３１の前後方向の間隔は、什器本体１１の寸法範囲内で適宜変更が可能である。この場合、物品収納空間Ｓの前方開口部を通じて後列吊下部２０にアクセス可能で、かつ後列吊下部２０に吊り下げられたカテーテル１００と、前列吊下部３０に吊り下げられたカテーテル１００と、が少なくとも干渉しないような間隔に設定することが好ましい。
【００３５】
上記物品収納什器１０は、左右方向に間隔をあけて設けられ、それぞれ上下方向に延びる一対の側部支持体１３を有し、一対の側部支持体１３の間に物品収納空間Ｓが形成された什器本体１１と、一対の側部支持体１３の間において、カテーテル１００を吊下するフック２２を左右方向に間隔をあけて複数有する後列吊下部２０と、一対の側部支持体１３の間において、後列吊下部２０に対し前方に配置され、カテーテル１００を吊下するフック３２を左右方向に間隔をあけて複数有する前列吊下部３０と、を備え、後列吊下部２０は、前列吊下部３０よりも高い位置に配置されている。
このような構成によれば、カテーテル１００は、後列吊下部２０の複数のフック２２と、前列吊下部３０の複数のフック３２と、に吊り下げることができる。この際、後列吊下部２０のフック２２で吊り下げられたカテーテル１００は、その上部１００ｔが、前列吊下部３０よりも上方に露出する。したがって、後列吊下部２０に吊り下げられたカテーテル１００の確認や出し入れ等の作業を、カテーテル１００を目視しながら容易に行うことができる。
その結果、物品収納什器１０によれば、複数のカテーテル１００を効率良く収納して収納数を増やすとともに、収納されたカテーテル１００の確認や出し入れ等の作業を容易かつ確実に行うことができる。
【００３６】
特に、本実施形態では、前列吊下部３０が後列吊下部２０よりも低くなっているため、物品収納空間Ｓの前方開口部を通じて後列吊下部２０に吊り下げられたカテーテル１００に直接アクセスできる。これにより、例えばフック列を前後方向にスライド移動させて、後方に吊り下げられたカテーテルを出し入れ等する構成に比べて、構成の簡素化や低コスト化を図ることができる。
【００３７】
本実施形態の物品収納什器１０は、後列吊下部２０が、一対の側部支持体１３の間において左右方向に延び、フック２２が左右方向に移動可能に設けられた後列支持杆２１を有し、前列吊下部３０は、一対の側部支持体１３の間において左右方向に延び、フック３２が左右方向に移動可能に設けられた前列支持杆３１を有する。
このように構成することで、フック２２，３２に吊り下げたカテーテル１００を、フック２２，３２ごと後列吊下部２０、前列吊下部３０に沿って左右方向に移動させることができる。これにより、カテーテル１００の吊り下げ位置を容易に調整することができる。
【００３８】
本実施形態の物品収納什器１０は、左右方向に間隔をあけて設けられ、後列支持杆２１および前列支持杆３１を支持する複数の支持部材４０を備え、支持部材４０は、左右方向に直交する鉛直面内に位置し、後列支持杆２１の端部および前列支持杆３１の端部が取り付けられた支持プレート４１を有する。
このように構成することで、後列支持杆２１および前列支持杆３１を、支持部材４０を介して什器本体１１に取り付けることができる。これにより、後列吊下部２０および前列吊下部３０の什器本体１１への組付性を向上させることができる。
しかも、後列支持杆２１と前列支持杆３１とが支持部材４０を介して固定される。このため、後列吊下部２０と前列吊下部３０との、前後方向および上下方向における相対位置関係を、容易かつ確実に設定することができる。したがって、特に後列吊下部２０のフック２２に支持されたカテーテル１００へのアクセス性を良好に保つことができる。
【００３９】
本実施形態の物品収納什器１０は、支持部材４０の支持プレート４１が、後列支持杆２１の端部が取り付けられた後部４１ｒよりも、前列支持杆３１の端部が取り付けられた前部４１ｆの方が、下方に向かって長く延びている。
このように構成することで、後列支持杆２１の前方に位置する前列支持杆３１を、後列支持杆２１よりも下方に配置することができる。これにより、後列吊下部２０を、前列吊下部３０よりも高い位置に配置することができる。
【００４０】
本実施形態の物品収納什器１０は、什器本体１１が、一対の側部支持体１３の間に、物品載置面１５ｆを有した棚板１５を備え、支持部材４０は、棚板１５に支持されている。
このように構成することで、支持部材４０を側部支持体１３に直接固定することなく、棚板１５に支持させて設けることができる。したがって、後列吊下部２０、前列吊下部３０、およびこれらに吊下されるカテーテル１００を、安定的かつ強固に支持することができる。
支持部材４０が支持杆２１，３１の両端部を支持しているため、支持杆２１，３１の左右方向の全体に亘って複数のカテーテル１００を吊り下げることができる。これにより、物品収納什器１０における収納効率を高めることができる。
【００４１】
（実施形態の変形例）
上記実施形態では、什器本体１１が、底板１２や天板１４，板状の側部支持体１３を備える箱型に形成したが、これに限らない。
図３は、上記実施形態に係る物品収納什器の変形例の構成を示す斜視図である。
例えば、図３に示す物品収納什器１０Ｂのように、什器本体１１Ｂが、枠状の側部支持体１３Ｂを備える枠型に形成してもよい。
側部支持体１３Ｂは、左右方向に間隔をあけて設けられている。各側部支持体１３Ｂは、上下方向に延びる複数本の支柱１３ｃと、前後方向で隣り合う支柱１３ｃの上下の端部同士を連結する連結部材１３ｄ，１３ｅと、を一体に有する。左右方向両側の側部支持体１３Ｂ同士は、左右方向に延びる上部ビーム材１８、および下部ビーム材１９によって連結されている。
物品収納什器１０は、このような側部支持体１３Ｂの間において、後列吊下部２０と、前列吊下部３０と、を備えている。
【００４２】
また、図３に示すように、支持部材４０は、什器本体１１内の左右方向の両端部に限らず、左右方向の中間部に設けてもよい。
【００４３】
（実施形態の他の変形例）
なお、上記実施形態およびその変形例において、物品収納什器１０に、後列吊下部２０と前列吊下部３０とを、前後に２列に設けるようにしたが、前後に３列以上の吊下部を備えるようにしてもよい。その場合、互いに前後に位置する吊下部において、後方に位置する吊下部（第一吊下部に相当）は、前方に位置する吊下部（第二吊下部に相当）よりも高い位置に配置する。
【００４４】
上記実施形態およびその変形例では、後列吊下部２０の後列支持杆２１と、前列吊下部３０の前列支持杆３１とを、棚板１５の下面に設けた支持部材４０を介して支持するようにしたが、これに限らない。支持部材４０は、棚板１５ではなく、側部支持体１３に固定するようにしてもよい。その場合、支持部材４０を、側部支持体１３に形成された係止孔１３ｈに係止させるようにすれば、支持部材４０の高さ、すなわち、後列吊下部２０、前列吊下部３０の高さを適宜選択して設定することもできる。
【００４５】
後列吊下部２０の後列支持杆２１と、前列吊下部３０の前列支持杆３１とを、支持部材４０を介さずに、側部支持体１３に直接係止させるようにしてもよい。
後列吊下部２０および前列吊下部３０においては、フック２２，３２を、後列支持杆２１，前列支持杆３１に沿って移動可能に設けたが、これに限らない。フック２２，３２を、後列支持杆２１，前列支持杆３１に固定的に設けてもよい。また、フック２２を、後列支持杆２１を用いず、棚板１５の下面に直接設けるようにしてもよい。この場合には、棚板１５およびフック２２が本発明に係る後列吊下部を構成する。
【００４６】
さらに、上記実施形態およびその変形例では、物品収納什器１０、１０Ｂに収納する物品として、カテーテル１００を例に挙げたが、カテーテル１００以外の物品、例えば、衣類、マフラー、ベルト、物差し等、上下に長尺のものを収納するようにしてもよい。
これ以外にも、本発明の主旨を逸脱しない限り、上記実施の形態で挙げた構成を取捨選択したり、他の構成に適宜変更したりすることが可能である。
【符号の説明】
【００４７】
１０，１０Ｂ  物品収納什器
１１，１１Ｂ  什器本体
１３，１３Ｂ  側部支持体
１５  棚板
１５ｆ  物品載置面
２０  後列吊下部（第一吊下部）
２１  後列支持杆（第一支持杆）
２２  フック（第一フック）
３０  前列吊下部（第二吊下部）
３１  前列支持杆（第二支持杆）
３２  フック（第二フック）
４０  支持部材
４１  支持プレート（支持部）
４２  取付部
１００  カテーテル（物品）
Ｓ  物品収納空間
【図１】
2019072303.tif 000003
【図２】
2019072303.tif 000004
【図３】
2019072303.tif 000005